(57)【要約】  本発明は、新規の匍匐成長習性表現型を有するアカネ（Ｒｕｂｉａｃｅａｅ）科の植物、特にペンタス・ランケオラタ（Ｐｅｎｔａｓ  ｌａｎｃｅｏｌａｔａ）植物に関する。本発明の植物を取得し、成長させ、かつ繁殖させる方法およびその使用も提供される。本発明は、このような植物の花粉、種子ならびに有性生殖および無性生殖子孫にさらに関する。【特許請求の範囲】
【請求項１】
アカネ（Ｒｕｂｉａｃｅａｅ）科に属する植物において、匍匐成長習性表現型を有することを特徴とする植物。
【請求項２】
ペンタス（Ｐｅｎｔａｓ）属に属している、請求項１に記載の植物。
【請求項３】
ペンタス・ランケオラタ（Ｐｅｎｔａｓ  ｌａｎｃｅｏｌａｔａ）種に属している、請求項１または２に記載の植物。
【請求項４】
前記匍匐成長習性表現型が、ペンタス・ランケオラタ（Ｐｅｎｔａｓ  ｌａｎｃｅｏｌａｔａ）（Ｔ０４０２−１）において見出されるものと同じであって、その代表的な種子が寄託番号ＮＣＩＭＢ４２２３４でＮＣＩＭＢに寄託されている、請求項１〜３のいずれか一項に記載の植物。
【請求項５】
ペンタス・ランケオラタ（Ｐｅｎｔａｓ  ｌａｎｃｅｏｌａｔａ）（Ｔ０４０２−１）との交雑によって得ることができ、その代表的な種子が寄託番号ＮＣＩＭＢ４２２３４でＮＣＩＭＢに寄託されている、請求項１〜４のいずれか一項に記載の植物。
【請求項６】
ペンタス・ランケオラタ（Ｐｅｎｔａｓ  ｌａｎｃｅｏｌａｔａ）（Ｔ０４０２−１）であって、その代表的な種子が寄託番号ＮＣＩＭＢ４２２３４でＮＣＩＭＢに寄託されている、請求項１〜４のいずれか一項に記載の植物。
【請求項７】
ハイブリッドである、請求項１〜６のいずれか一項に記載の植物。
【請求項８】
請求項１〜７のいずれか一項に記載のペンタス（Ｐｅｎｔａｓ）植物の植物部位。
【請求項９】
繁殖される挿し木、種子および花粉からなる群から選択される、請求項８に記載の植物部位。
【請求項１０】
成長して植物になったときに、請求項１〜７のいずれか一項に記載の植物の前記匍匐成長習性表現型を示す、ペンタス（Ｐｅｎｔａｓ）植物の種子。
【請求項１１】
ペンタス・ランケオラタ（Ｐｅｎｔａｓ  ｌａｎｃｅｏｌａｔａ）種に属するハイブリッドペンタス（Ｐｅｎｔａｓ）植物の集団を成長させる方法であって、種子を蒔くことと、前記植物の集団が成長することを可能にすることとを含み、前記植物が匍匐成長習性表現型を示す、方法。
【請求項１２】
請求項１〜７のいずれか一項に記載の植物を成長させるための方法。
【発明の詳細な説明】
【技術分野】
【０００１】
本発明は、アカネ（Ｒｕｂｉａｃｅａｅ）科に属する植物、特にペンタス・ランケオラタ（Ｐｅｎｔａｓ  ｌａｎｃｅｏｌａｔａ）種に関し、前記植物は、新規の匍匐成長習性（ｔｒａｉｌｉｎｇ  ｇｒｏｗｔｈ  ｈａｂｉｔ）表現型を有する。
【背景技術】
【０００２】
ペンタス（Ｐｅｎｔａｓ）は、アカネ（Ｒｕｂｉａｃｅａｅ）科の植物の属である。この植物は、有毛の緑色の葉と、多数の異なる色および形状の花の房とを有する。ペンタス（Ｐｅｎｔａｓ）は、蝶およびハチドリにとって魅力的である。いくつかの種は一般に栽培されており、ポットおよびバスケットで成長させることができる。Ｐ．ランケオラタ（Ｐ．ｌａｎｃｅｏｌａｔａ）などの種は十分な日光に耐えることができ、ほとんどまたは全くケアを必要とせず、乾燥した暑い場所でも成長する。
【０００３】
匍匐成長習性は、市販のペンタス（Ｐｅｎｔａｓ）植物にとって非常に所望される形質である。しかしながら、現在の市販のペンタス（Ｐｅｎｔａｓ）栽培品種は全て直立して成長し、匍匐成長習性の特徴を示さない。
【発明の概要】
【発明が解決しようとする課題】
【０００４】
驚くべきことに、種々の色の匍匐成長習性表現型を有するペンタス（Ｐｅｎｔａｓ）植物が直立型の植物から発生された。匍匐成長習性は独特であり、ペンタス（Ｐｅｎｔａｓ）栽培者および末端消費者の間で満たされていない要求を満たす。匍匐成長習性は、開花への移行後および植物の生殖成長を通して保持される。本発明は、園芸産業においてペンタス（Ｐｅｎｔａｓ）の可能な使用範囲を広げ、消費者にとってより魅力的である。
【課題を解決するための手段】
【０００５】
本発明は、アカネ（Ｒｕｂｉａｃｅａｅ）科に属する植物において、その栄養成長期および生殖成長期中に匍匐成長習性表現型を有することを特徴とする植物を提供する。一実施形態では、本発明は、ペンタス（Ｐｅｎｔａｓ）属に属する植物を提供する。一実施形態では、本発明は、ペンタス・ランケオラタ（Ｐｅｎｔａｓ  ｌａｎｃｅｏｌａｔａ）種に属する植物を提供する。一実施形態では、前記本発明は、Ｐ．ランケオラタ（Ｐ．ｌａｎｃｅｏｌａｔａ）をその祖先に含む種間の種に属する植物を提供する。
【０００６】
ペンタス・ランケオラタ（Ｐｅｎｔａｓ  ｌａｎｃｅｏｌａｔａ）（Ｔ０４０２−１）との交雑によって得ることができ、その代表的な種子が寄託番号ＮＣＩＭＢ４２２３４でＮＣＩＭＢに寄託されている、本発明に従う植物が提供される。
【０００７】
一実施形態では、本発明に従う植物はハイブリッドである。一実施形態では、前記植物は二倍体である。一実施形態では、前記植物は四倍体である。
【０００８】
本発明は、ペンタス・ランケオラタ（Ｐｅｎｔａｓ  ｌａｎｃｅｏｌａｔａ）（Ｔ０４０２−１）であって、その代表的な種子が寄託番号ＮＣＩＭＢ４２２３４でＮＣＩＭＢに寄託されている、ペンタス・ランケオラタ（Ｐｅｎｔａｓ  ｌａｎｃｅｏｌａｔａ）（Ｔ０４０２−１）である植物も提供する。
【０００９】
本発明は、本発明に従うペンタス（Ｐｅｎｔａｓ）の植物部位も提供する。
【００１０】
一実施形態では、前記植物部位は、繁殖される挿し木（ｃｕｔｔｉｎｇ）、種子および花粉からなる群から選択される。
【００１１】
成長して植物になったときに、本発明に従う植物の匍匐成長習性を示す、ペンタス（Ｐｅｎｔａｓ）植物の種子も提供される。
【００１２】
ペンタス・ランケオラタ（Ｐｅｎｔａｓ  ｌａｎｃｅｏｌａｔａ）種に属するハイブリッドペンタス（Ｐｅｎｔａｓ）植物の集団を成長させる方法であって、種子を蒔くことと、前記植物の集団が成長することを可能にすることとを含み、前記植物が匍匐成長習性表現型を示す、方法も提供される。
【００１３】
上記のような植物を成長させるための本発明に従う方法も提供される。
【００１４】
本発明に従うペンタス（Ｐｅｎｔａｓ）植物またはその部位の使用も提供される。一実施形態では、前記使用は花壇用植物としての使用である。別の実施形態では、前記使用は鉢植え植物としての使用である。
【発明を実施するための形態】
【００１５】
定義
本発明の範囲内で使用される技術用語および表現は、一般的に、本明細書において以下で他に指示されなければ、植物育種および栽培の関連技術においてそれらに普通に適用される意味が与えられるべきである。
【００１６】
本明細書および特許請求の範囲において使用される場合、文脈が他に明白に指示しない限り、単数形「１つの（ａ）」、「１つの（ａｎ）」および「その（ｔｈｅ）」は複数の指示対照を含む。従って、例えば、「植物（単数）」への言及は１つまたは複数の植物を含む。
【００１７】
本明細書で使用される場合、値または質量、重量、時間、容量、濃度もしくは割合の量に言及するときの「約」という用語は、いくつかの実施形態では±２０％、いくつかの実施形態では±１０％、いくつかの実施形態では±５％、いくつかの実施形態では±１％、いくつかの実施形態では±０．５％、いくつかの実施形態では±０．１％である特定の量または容量からの変動を、このような変動が開示される方法を実施するのに妥当であるとして包含することを意味する。
【００１８】
本明細書で使用される場合、「育種」という用語および文法的なその変化形は、子孫の個体を発生させる任意のプロセスを指す。育種は、有性もしくは無性生殖的またはこれらの任意の組み合わせであり得る。例示的な非限定的な育種の種類には、交雑、自殖、倍加半数体誘導体生成およびこれらの組み合わせが含まれる。
【００１９】
「栽培ペンタス（Ｐｅｎｔａｓ）植物」または「優良（ｅｌｉｔｅ）ペンタス（Ｐｅｎｔａｓ）植物」は、本発明の範囲内では、もはや自然な状態ではないが、人の世話によりかつ人が使用するために発生されたペンタス（Ｐｅｎｔａｓ）植物を指すと理解される。「栽培植物」または「優良植物」は、天然の形質としておよび／またはその天然の遺伝的性質の一部として本発明の主題である形質を含む野生型種を排除することがさらに理解される。
【００２０】
本明細書で使用される場合、「成長点」という用語は、植物の先端または縁部を指す。植物の最も遠く離れた成長点間の距離は、実施例セクションに記載される第１の幅測定値を表す。
【００２１】
本明細書で使用される場合、植物の育種との関連での「ハイブリッド」という用語は、２つの近交系間の交雑を含むがこれに限定されない、異なる系統または品種または種の植物を交雑させることによって生産された、遺伝的に異なる親の子孫である植物を指す。
【００２２】
「近交系」という語句は、遺伝的に同型接合性またはほぼ同型接合性の集団を指す。近交系は、例えば、兄弟／姉妹育種または自殖のいくつかのサイクルを通して誘導することができる。いくつかの実施形態では、近交系は、１つまたは複数の対象の表現型形質のために正確に繁殖する。「近交系」、「近交系個体」または「近交系子孫」は、近交系からサンプリングされた個体である。「近交系」という用語は、実質的に同型接合性の個体または系統を意味する。
【００２３】
「遺伝子移入」、「遺伝子移入された」および「遺伝子移入している」という用語は、１つの種、品種または栽培品種のゲノム領域が別の種、品種または栽培品種のゲノムへ、これらの種の交雑により移動される自然のプロセスを指す。プロセスは、任意選択的に、反復親への戻し交雑によって完了され得る。
【００２４】
「植物」は、任意の発育段階にある任意の植物、特に種子植物または栄養（ｖｅｇｅｔａｔｉｖｅ）植物である。
【００２５】
「植物細胞」は、プロトプラストおよび細胞壁を含む植物の構造的および生理学的な単位である。植物細胞は、単離された単細胞もしくは培養細胞の形態またはより高度に組織化された単位、例えば植物組織、植物器官もしくは全植物などの一部であり得る。
【００２６】
「植物細胞培養物」は、例えば、プロトプラスト、細胞培養細胞、植物組織の細胞、花粉、花粉管、胚珠、胚嚢、接合子および胚など、種々の発育段階にある植物単位の培養物を意味する。
【００２７】
本明細書で使用される場合、「植物部位」という語句は、単細胞および細胞組織、例えば、植物をそれから再生することができる植物中の無傷の植物細胞、細胞凝集塊および組織培養物を含む植物の部位を指す。植物部位の例としては、花粉、胚珠、葉、胚、根、根端、葯、花、果実、茎、シュートおよび種子からの単細胞および組織；ならびに接ぎ穂、台木、プロトプラスト、カルスなどが挙げられるが、これらに限定されない。
【００２８】
本明細書で使用される場合、「集団」という用語は、共通の遺伝的由来を共有する植物の遺伝的に不均一な集合を意味する。植物の集団は、通常、程度の差はあるが、本発明の匍匐成長習性表現型に関して成熟時に同じ表現型を有する１０以上の植物に相当する。
【００２９】
本明細書で使用される場合、「子孫」という用語は、特定の交雑の派生物を指す。通常、子孫は２つの個体の育種から生じるが、いくつかの種（特にいくつかの植物および雌雄同体動物）は自殖させることもできる（すなわち、同じ植物が雄性および雌性の両方の配偶子のドナーとしての機能を果たす）。派生物は、例えば、Ｆ１、Ｆ２またはそれに続く任意の世代のものであり得る。
【００３０】
本発明との関連での「有性交雑」および「有性生殖」という語句は、子孫を生じるための配偶子の融合（例えば、植物において受粉により種子を生じるような受精による）を指す。いくつかの実施形態では、「有性交雑」または「他家受精」は、１つの個体による別の個体の受精（例えば、植物における他家受粉）である。いくつかの実施形態では、「自殖」という用語は、自家受精または自家受粉による種子の生成を指し、すなわち、花粉および胚珠は同じ植物に由来する。
【００３１】
本発明の意味の範囲内で、「類似の遺伝的背景」を有する植物は、本発明に従う植物と遺伝的に密接な関係がある植物を指し、本発明に従う植物の系統における親であってもよい。
【００３２】
「実質的により多数の枝」とは、本発明に従う匍匐成長習性表現型の植物の枝の数が、同じ発根条件および栽培条件下で栽培したときに、他の点で類似した遺伝的背景を有する非匍匐成長習性型の栽培品種において見出されるよりも少なくとも約１．２倍、特に少なくとも約１．７倍、特に約１．２〜約１．９倍多いことを意味する。
【００３３】
「形質」は、本発明の範囲内では、特徴または表現型、例えば匍匐成長習性表現型を指すと理解される。形質は顕性的に遺伝されても潜性的に遺伝されてもよく、一遺伝子性でも多遺伝子性でもよい。
【００３４】
「顕性」は、本発明の範囲内では、異型接合性状態または同型接合性状態で存在するときに表現型を決定する対立遺伝子を指すと理解される。
【００３５】
「潜性」対立遺伝子は、同型接合で存在するときにのみ表示される。
【００３６】
本発明はアカネ（Ｒｕｂｉａｃｅａｅ）科に属する植物において、その栄養成長期および生殖成長期中に匍匐成長習性表現型を示し得ることを特徴とする植物を提供する。一実施形態では、本発明は、ペンタス（Ｐｅｎｔａｓ）属に属する栽培植物である。一実施形態では、本発明は、ペンタス・ランケオラタ（Ｐｅｎｔａｓ  ｌａｎｃｅｏｌａｔａ）種に属する植物である。一実施形態では、本発明は、ハイブリッドペンタス（Ｐｅｎｔａｓ）である植物である。一実施形態では、本発明は、Ｐ．ランケオラタ（Ｐ．ｌａｎｃｅｏｌａｔａ）をその祖先に含む種間の種に属する植物である。一実施形態では、本発明は、栽培植物または優良植物である。
【００３７】
本発明の意味の範囲内で、匍匐成長習性表現型は、特に植物の茎および側枝が主に水平方向に成長する植物の成長習性である。匍匐成長習性型の植物、特に本明細書に記載される寄託株Ｔ０４０２−１は、非匍匐成長習性型の植物において見出されるよりも高い高度な分枝も示し得る。植物コンテナの制限内で成長させると植物は容器全体に広がり、容器の縁部に到達すると、地面にも向かって成長する。本発明に従う匍匐型の植物の節間部は、任意選択的に、特に節間部が基体と接触した位置で構築される不定根を含み得る。有利な発根条件下では、不定根の形成が増強され、基体との接触がなくても発生し得る。
【００３８】
発根条件は、本発明の意味の範囲内では、通常、発根中、湿った基体および華氏７２〜７５度（Ｆ）の温度ならびに８０％〜９０％の相対湿度を特徴とする。
【００３９】
さらなる実施形態では、本発明に従う植物は、非匍匐成長習性型の栽培品種において見出されるよりも実質的に高い高度な側方分枝を有する（両方の植物が他の点で類似した遺伝的背景を有する場合でも）。
【００４０】
特定の実施形態では、本発明に従う植物は、４週間の発根条件後、１２週間の標準栽培条件後に測定する場合に匍匐成長習性を有する。
【００４１】
本発明の植物の匍匐成長習性表現型は、植物の高さ：植物の幅比に関して表すことができる。一実施形態では、植物の高さ：植物の幅比は０．６以下である。一実施形態では、植物の高さ：植物の幅比は０．５以下である。一実施形態では、植物の高さ：植物の幅比は０．４以下である。一実施形態では、植物の高さ：植物の幅比は０．３５以下である。一実施形態では、植物の高さ：植物の幅比は０．３〜０．６である。
【００４２】
一実施形態では、本発明の植物は、通常、米国カリフォルニア州で３月上旬から５月下旬まで温室内で１２週間、以下の標準栽培条件下で成長させたときに上記の植物の高さ：植物の幅比を示すことができる：
−  幅１１ｃｍおよび高さ９．５ｃｍの寸法を有する、地面に置いたポット；
−  ダミノジッド（Ｄａｍｉｎｏｚｉｄｅ）｛ブタン二酸モノ（２，２−ジメチルヒドラジド）｝を含む植物成長調節剤Ｂ９；
−  ｐＨ６．５〜６．８の土壌；
−  ６３％〜６６％の平均相対湿度（最低相対湿度は２７％以上であり、最高相対湿度は８６％以下である）；
−  華氏６５〜６７度、すなわち摂氏１８．３度〜摂氏１９．５度の平均温度（最低温度は華氏５９度以上であり、最高温度は華氏８９度以下であり、すなわち摂氏１５．０度〜摂氏３１．７度である）。
【００４３】
本発明の植物は、好ましくは２２ｃｍ以下の高さ、より好ましくは２１ｃｍ以下の高さ、より好ましくは２０ｃｍ以下の高さ、より好ましくは１９ｃｍ以下の高さ、より好ましくは１８ｃｍ以下の高さ、より好ましくは１７ｃｍ以下の高さである。
【００４４】
一実施形態では、本発明の植物は植物の高さ：植物の幅比が０．３〜０．６であり、植物は高さが１６ｃｍ〜２０ｃｍである。
【００４５】
一実施形態では、本発明の植物は、植物の高さ：植物の幅比が０．６以下であり、植物は２０ｃｍ以下の高さである。
【００４６】
一実施形態では、本発明の植物は植物の高さ：植物の幅比が０．６以下であり、植物は１８ｃｍ以下の高さである。
【００４７】
一実施形態では、本発明の植物は、平均して８本以上の枝を有する。
【００４８】
一実施形態では、本発明の植物は、８ｃｍ以下の平均の葉の長さを有する。
【００４９】
一実施形態では、本発明の植物は、前記植物が上記の標準栽培条件下で成長される場合、上記の植物の高さ：植物の幅比の１つ、上記の植物の高さの１つ、上記の枝の数の１つおよび上記の葉の長さの１つを示す。
【００５０】
一実施形態では、本発明は、ペンタス（Ｐｅｎｔａｓ）属に属する植物を提供する。一実施形態では、本発明は、ペンタス・ランケオラタ（Ｐｅｎｔａｓ  ｌａｎｃｅｏｌａｔａ）種に属する植物を提供する。一実施形態では、前記植物は、Ｐ．ランケオラタ（Ｐ．ｌａｎｃｅｏｌａｔａ）をその祖先に含む種間の種に属する。
【００５１】
ペンタス・ランケオラタ（Ｐｅｎｔａｓ  ｌａｎｃｅｏｌａｔａ）（Ｔ０４０２−１）との有性交雑によって得ることができ、その代表的な種子が寄託番号ＮＣＩＭＢ４２２３４でＮＣＩＭＢに寄託されている、本発明に従う植物が提供される。
【００５２】
一実施形態では、本発明に従う植物はハイブリッドである。一実施形態では、前記植物は二倍体である。一実施形態では、前記植物は四倍体である。
【００５３】
一実施形態では、匍匐成長習性表現型は一遺伝子性である。一実施形態では、匍匐成長習性は顕性形質である。一実施形態では、匍匐成長習性は不完全な顕性形質である。
【００５４】
本発明は、ペンタス・ランケオラタ（Ｐｅｎｔａｓ  ｌａｎｃｅｏｌａｔａ）（Ｔ０４０２−１）であって、その代表的な種子が寄託番号ＮＣＩＭＢ４２２３４でＮＣＩＭＢに寄託されている、ペンタス・ランケオラタ（Ｐｅｎｔａｓ  ｌａｎｃｅｏｌａｔａ）（Ｔ０４０２−１）である植物も提供する。
【００５５】
本発明は、匍匐成長習性表現型を有する植物であって、前記形質が、ペンタス・ランケオラタ（Ｐｅｎｔａｓ  ｌａｎｃｅｏｌａｔａ）（Ｔ０４０２−１）において見出されるものと同じであって、その代表的な種子が寄託番号ＮＣＩＭＢ４２２３４でＮＣＩＭＢに寄託されている、植物も提供する。
【００５６】
ペンタス・ランケオラタ（Ｐｅｎｔａｓ  ｌａｎｃｅｏｌａｔａ）（Ｔ０４０２−１）との交雑によって得ることができ、その代表的な種子が寄託番号ＮＣＩＭＢ４２２３４でＮＣＩＭＢに寄託されている、本発明に従う植物が提供される。
【００５７】
本発明は、本発明に従うペンタス（Ｐｅｎｔａｓ）植物の植物部位も提供する。
【００５８】
一実施形態では、前記植物部位は、繁殖される挿し木、種子、花粉および植物細胞からなる群から選択される。
【００５９】
成長して植物になったときに匍匐成長習性表現型を示す、ペンタス（Ｐｅｎｔａｓ）植物の種子も提供される。
【００６０】
ペンタス・ランケオラタ（Ｐｅｎｔａｓ  ｌａｎｃｅｏｌａｔａ）種に属するハイブリッドペンタス（Ｐｅｎｔａｓ）植物の集団を成長させる方法であって、種子を蒔くことと、前記植物の集団が成長することを可能にすることとを含み、前記植物が匍匐成長習性表現型を示す、方法も提供される。
【００６１】
上記のような植物を成長させるための本発明に従う方法も提供される。
【００６２】
本発明に従う栽培または優良ペンタス（Ｐｅｎｔａｓ）植物またはその部位の使用も提供される。一実施形態では、前記使用は花壇用植物としての使用である。別の実施形態では、前記使用は鉢植え植物としての使用である。一実施形態では、前記使用は、ハンギングバスケット内での使用である。
【００６３】
本発明のさらなる実施形態は、本発明に従う匍匐性ペンタス・ランケオラタ（Ｐｅｎｔａｓ  ｌａｎｃｅｏｌａｔａ）植物を選択する方法であって、
ａ）戻し交雑させたペンタス・ランケオラタ（Ｐｅｎｔａｓ  ｌａｎｃｅｏｌａｔａ）植物またはその有性もしくは無性生殖子孫を、圃場に列をなして成長させるステップと、
ｂ）ステップａ）で成長させた全ての植物の平均よりも有意に速く、列間の空き領域を覆うことができる個々の植物または植物の群を選択するステップと
を含む方法である。
【００６４】
本発明のさらなる実施形態は、上記のような方法によって得ることができる匍匐成長習性を有するペンタス・ランケオラタ（Ｐｅｎｔａｓ  ｌａｎｃｅｏｌａｔａ）植物である。
【００６５】
本発明のさらなる実施形態は、匍匐成長習性を有する植物の種子を生産する方法であって、
ａ）本発明に従う匍匐成長習性植物を得るステップと、
ｂ）前記ステップａ）の植物をｉ）自家受粉、またはｉｉ）同胞受粉、またはｉｉｉ）他家受粉させるステップと、
ｃ）ステップｂ）から得られた種子を収穫するステップと
を含む方法である。
【００６６】
本発明のさらなる実施形態は、匍匐成長習性を有する植物を生産する方法であって、
ａ）本発明に従う匍匐成長習性植物を得るステップと、
ｂ）前記ステップａ）の植物を無性生殖的に繁殖させるステップと
を含む方法である。
【００６７】
本発明のさらなる実施形態は、匍匐成長習性を有する植物を生産する方法であって、
ａ）本発明に従う匍匐成長習性植物の種子を植えるステップと、
ｂ）前記ステップａ）の植物を成長させるステップと
を含む方法である。
【００６８】
種子寄託の詳細
品種ペンタス・ランケオラタ（Ｐｅｎｔａｓ  ｌａｎｃｅｏｌａｔａ）（Ｔ０４０２−１）の種子は、ブタペスト条約の約定に基づき、Ｓｙｎｇｅｎｔａ  Ｐａｒｔｉｃｉｐａｔｉｏｎｓ  ＡＧ，Ｓｃｈｗａｒｚｗａｌｄａｌｌｅｅ  ２１５，４０５８  Ｂａｓｅｌ，Ｓｗｉｔｚｅｒｌａｎｄの名義において２０１４年５月２日に番号ＮＣＩＭＢ４２２３４でＮＣＩＭＢ（Ｃｒａｉｂｓｔｏｎｅ，Ａｂｅｒｄｅｅｎ，ＵＫ）に寄託されている。
【００６９】
寄託された品種は、本発明の植物の十分な開示を表す。
【実施例】
【００７０】
以下の実施例は、本発明のいくつかの実施形態をより詳細に説明するために提供される。しかしながら、これらは決して本発明の広い範囲を限定すると解釈されてはならない。当業者は、本発明の範囲から逸脱することなく本明細書に開示される原理の多数の変更形態および修正形態を容易に考案することができる。
【００７１】
実施例１
原料物質からの匍匐成長習性の発生
匍匐成長習性の発生は、Ｓｙｎｇｅｎｔａの育種プログラムからの白色の花をつける直立型ペンタス（Ｐｅｎｔａｓ）クローンから始められた。このクローンを自家受粉させた。自家受粉した種子から、白色花の植物の３ドット塊（ｔｈｒｅｅ  ｄｏｔ  ｍａｓｓ）を選択した。
【００７２】
次の世代では、一部の植物が匍匐成長習性を有することが認識された。これらの植物の２つを選択し、２塊（ｔｗｏ  ｍａｓｓ）を作った。種子から匍匐成長習性が実現され、これを次の世代で種々の色に対して交雑させるために使用した。
【００７３】
２００６年に、植物＃９９０−（２）を、白色花の匍匐成長習性を有する植物と交雑させた。
【００７４】
２００７年に、同じ種子ロットを１２４６および１２４７として蒔き、白色花の匍匐成長習性を有する植物と再度交雑させた。集団１２４６からの１つの選択（１２４６−１）を集団１２４７からの１つの選択（１２４７−１）と交雑させた。白色、ピンク色およびバラ色の直立型に交雑させた１２４６−１を、赤色、ラベンダー色およびスミレ色の直立型に交雑させた１２４７−１と交雑させた。
【００７５】
２００８年に、Ｆ１ハイブリッド種子から選択を行ない、自家受粉させた。
【００７６】
２００９年に、Ｆ２種子を成長させ、選択を行い、交雑および自家受粉を行なった。
【００７７】
２０１０年に、将来の生成物のために選択を行なった。
【００７８】
実施例２
本発明の植物間の形態比較
匍匐成長習性表現型は、白色、ピンク色のバイカラー、ディープピンク色、バラ色および赤色で存在する。
【００７９】
匍匐成長習性表現型は、一遺伝子性および不完全顕性を示す。本発明の匍匐成長習性植物は二倍体である。
【００８０】
原料物質からの匍匐成長習性の発生により作られた、それぞれ匍匐成長習性表現型を有する本発明の種々の色のペンタス（Ｐｅｎｔａｓ）植物間で形態比較を行った。植物がスティッキング（ｓｔｉｃｋｉｎｇ）から１６週間経過したら、各品種の５本の植物から平均測定値をとった（表１）。５本の植物について地表面から最高成長点までの植物の高さを測定し、平均をとった。植物の幅を測定するために、直定規を用いて各植物について２つの測定値をとった。第１の測定は、植物を上から見下ろしたときに仮想的な直線上の最も遠く離れた２つの成長点の同定を含んだ。これらの２つの成長点間の距離を測定した。第２の測定は、別の２つの最も遠く離れた成長点の同定を含み、ここで、これらの２つの成長点を結ぶ仮想的な直線は、第１の測定の成長点間の仮想的な直線に対して９０度の角度であった。第１の測定値および第２の測定値を５本の植物のそれぞれについて平均して、植物の幅を提供した。次に、植物の幅を平均した。
【００８１】
形態比較は、異なる色のそれぞれについて匍匐成長習性表現型が０．６以下の植物の高さ：植物の幅比を一貫して示していることを明白に示している。
【００８２】
【表１】
2018528777.tif 000002
【００８３】
実施例３
本発明の植物および市販のペンタス（Ｐｅｎｔａｓ）植物間の形態比較
全ての市販のペンタス（Ｐｅｎｔａｓ）植物は直立型であり、全て四倍体または倍数体である。
【００８４】
寄託品種ＮＣＩＭＢ４２２３４の植物との形態比較研究において、以下の種子ベースの市販のペンタス（Ｐｅｎｔａｓ）植物を使用した。比較研究の結果は表２に示される。
【００８５】
以下の市販の品種を形態比較のために使用した：Ｂｅｎａｒｙからの「Ｇｒａｆｆｉｔｉ」；Ｂｅｎａｒｙからの「Ｋａｌｅｉｄｏｓｃｏｐｅ」；Ｐａｎ  Ａｍｅｒｉｃａｎ  Ｓｅｅｄからの「Ｂｕｔｔｅｒｆｌｙ」；およびＳｙｎｇｅｎｔａからの「Ｓｔａｒｌａ」。
【００８６】
各品種の１０本の植物から平均測定値をとった。植物の高さの植物の幅に対する比は、市販の直立型品種と比較して、本発明の匍匐成長習性植物においてはるかに小さいことが分かる。葉の幅および長さも市販の品種と比較して著しく小さい（表２）。
【００８７】
匍匐性ペンタス（Ｐｅｎｔａｓ）白色（Ｔ０４０２−１）の花弁の幅および長さが市販の白色品種よりも短いことも分かる（表３）。
【００８８】
寄託品種Ｔ０４０２−１は、試験した市販の品種と異なる白色を有する（表４）。
【００８９】
【表２】
2018528777.tif 000003
【００９０】
【表３】
2018528777.tif 000004
【００９１】
【表４】
2018528777.tif 000005
【国際調査報告】
2018528777.tif 000006
2018528777.tif 000007